(57)【要約】【課題】日情報と天気情報とを対応付けて天気情報を表示できる時計を提供する。【解決手段】時計１は、日情報および日情報に対応する天気情報を記憶する記憶部と、日情報を表示可能な日車３８と、天気情報が表示される天気表示部２８と、天気情報を指示可能な秒針３３と、を備える。記憶部は、地点、地点が属するタイムゾーン情報、および地点に対応する天気情報を記憶する。秒針３３は、地点に対応する天気情報を指示する。時計１は、地点の現在時刻を指示する時針３１および分針３２を備える。【選択図】図５
2018112503.tif 000002
【特許請求の範囲】
【請求項１】
日情報、および前記日情報に対応する天気情報を記憶する記憶部と、
前記日情報を表示可能な日情報表示部と、
前記天気情報が表示される天気表示部と、
前記天気情報を指示可能な指針と、
を備えることを特徴とする時計。
【請求項２】
前記指針は、時刻を表示可能な時針、分針および秒針のうち少なくともいずれか１つを含む、
ことを特徴とする請求項１に記載の時計。
【請求項３】
前記記憶部は、地点、前記地点が属するタイムゾーン情報、および前記地点に対応する前記天気情報を記憶し、
前記指針は、前記地点に対応する前記天気情報を指示し、
前記地点の現在時刻を指示する時刻指示針を備える、
ことを特徴とする請求項２に記載の時計。
【請求項４】
前記記憶部は、前記日情報に対応する天気情報を記憶し、
前記日情報表示部により表示される前記日情報の変化に伴い、前記日情報表示部により表示される前記日情報に対応する前記天気情報を前記指針により指示するように、前記日情報表示部および前記指針を制御する制御部を備える、
ことを特徴とする請求項１から３のいずれか１項に記載の時計。
【請求項５】
前記指針は、前記天気情報を指示しない場合に現在時刻を指示する、
ことを特徴とする請求項１から４のいずれか１項に記載の時計。
【請求項６】
前記天気情報に対応する時刻、および前記天気情報が更新された時刻のうち少なくともいずれか一方を指示可能な情報時刻指示針を備える
ことを特徴とする請求項１から４のいずれか１項に記載の時計。
【請求項７】
複数の前記指針を備え、
第１の前記指針が第１時刻に対応する前記天気情報を指示するとともに、第２の前記指針が第２時刻に対応する前記天気情報を指示する場合、および第１の前記指針が第１日情報に対応する前記天気情報を指示するとともに、第２の前記指針が第２日情報に対応する前記天気情報を指示する場合のうち少なくともいずれか一方を表示可能である、
ことを特徴とする請求項１から４のいずれか１項に記載の時計。
【請求項８】
前記指針を含む複数の針を備え、
前記指針の先端は、前記複数の針の先端のうち前記天気表示部に最も近接する、
ことを特徴とする請求項１から７のいずれか１項に記載の時計。
【請求項９】
複数の前記指針を備え、
前記天気情報は、複数の天候要素で構成され、
前記複数の指針は、前記複数の天候要素を各別に指示する、
ことを特徴とする請求項１から８のいずれか１項に記載の時計。
【請求項１０】
前記天気情報は、第１天候要素および第２天候要素で構成され、
前記指針は、前記第１天候要素および前記第２天候要素を指示可能であり、前記第１天候要素を指示する第１位置から前記第２天候要素を指示する第２位置への第１移動速度、および前記第２位置から前記第１位置への第２移動速度が同一の場合に示す前記天気情報と、前記第１移動速度および前記第２移動速度が異なる場合に示す前記天気情報と、のうち少なくともいずれか一方を指示できる、
ことを特徴とする請求項１から８のいずれか１項に記載の時計。
【請求項１１】
前記天気情報を外部機器から通信により取得する通信部を備え、
前記外部機器から指示された地点に対応する前記天気情報と、前記地点が属するタイムゾーン情報と、を前記通信部により取得して前記記憶部に記憶させる、
ことを特徴とする請求項１から１０のいずれか１項に記載の時計。
【請求項１２】
前記日情報は、日付、時間および曜日のうち少なくとも一つを含む、
ことを特徴とする請求項１から１１のいずれか１項に記載の時計。
【請求項１３】
前記天気情報は、天候、降水確率、降水量、気温、湿度、紫外線指数、風速および風向のうち少なくともいずれか１つを含む、
ことを特徴とする請求項１から１２のいずれか１項に記載の時計。
【請求項１４】
前記天気表示部は、複数の天気情報を表示する、
ことを特徴とする請求項１から１３のいずれか１項に記載の時計。
【請求項１５】
日情報、および前記日情報に対応する天気情報を取得するステップと、
前記日情報を表示するステップと、
前記天気情報を指針に指示させるステップと、
を備えることを特徴とする時計の制御方法。
【発明の詳細な説明】
【技術分野】
【０００１】
本発明は、時計および時計の制御方法に関するものである。
【背景技術】
【０００２】
従来、天気予報等の天気情報（気象情報）を表示可能な時計がある。例えば、下記特許文献１には、気圧変動を指示するアナログ時計であり、時間情報を与える少なくとも２本の針と、針を駆動するウォッチムーブメントと、気圧変動を測定する圧力センサとを備え、これら針の一つは圧力変動の測定値を指示することができ、針の他の一つは同時に天気予報を変動の関数として指示することができる時計が開示されている。
【先行技術文献】
【特許文献】
【０００３】
【特許文献１】特開平７−２６０９６０号公報
【発明の概要】
【発明が解決しようとする課題】
【０００４】
しかしながら、上記従来技術では、気圧変動の測定値に基づいて現在地の直近の天候変化を推定しているので、天気予報を、日情報に対応付けて表示することが困難である。
【０００５】
そこで本発明は、日情報と天気情報とを対応付けて天気情報を表示できる時計を提供するものである。
【課題を解決するための手段】
【０００６】
本発明の時計は、日情報、および前記日情報に対応する天気情報を記憶する記憶部と、前記日情報を表示可能な日情報表示部と、前記天気情報が表示される天気表示部と、前記天気情報を指示可能な指針と、を備えることを特徴とする。
【０００７】
上記の時計において、前記指針は、時刻を表示可能な時針、分針および秒針のうち少なくともいずれか１つを含むことが望ましい。
【０００８】
上記の時計において、前記記憶部は、地点、前記地点が属するタイムゾーン情報、および前記地点に対応する前記天気情報を記憶し、前記指針は、前記地点に対応する前記天気情報を指示し、前記地点の現在時刻を指示する時刻指示針を備えることが望ましい。
【０００９】
上記の時計において、前記記憶部は、前記日情報に対応する天気情報を記憶し、前記日情報表示部により表示される前記日情報の変化に伴い、前記日情報表示部により表示される前記日情報に対応する前記天気情報を前記指針により指示するように、前記日情報表示部および前記指針を制御する制御部を備えることが望ましい。
【００１０】
上記の時計において、前記指針は、前記天気情報を指示しない場合に現在時刻を指示することが望ましい。
【００１１】
上記の時計において、前記天気情報に対応する時刻、および前記天気情報が更新された時刻のうち少なくともいずれか一方を指示可能な情報時刻指示針を備えることが望ましい。
【００１２】
上記の時計において、複数の前記指針を備え、第１の前記指針が第１時刻に対応する前記天気情報を指示するとともに、第２の前記指針が第２時刻に対応する前記天気情報を指示する場合、および第１の前記指針が第１日情報に対応する前記天気情報を指示するとともに、第２の前記指針が第２日情報に対応する前記天気情報を指示する場合のうち少なくともいずれか一方を表示可能であることが望ましい。
【００１３】
上記の時計において、前記指針を含む複数の針を備え、前記指針の先端は、前記複数の針の先端のうち前記天気表示部に最も近接することが望ましい。
【００１４】
上記の時計において、複数の前記指針を備え、前記天気情報は、複数の天候要素で構成され、前記複数の指針は、前記複数の天候要素を各別に指示することが望ましい。
【００１５】
上記の時計において、前記天気情報は、第１天候要素および第２天候要素で構成され、前記指針は、前記第１天候要素および前記第２天候要素を指示可能であり、前記第１天候要素を指示する第１位置から前記第２天候要素を指示する第２位置への第１移動速度、および前記第２位置から前記第１位置への第２移動速度が同一の場合に示す前記天気情報と、前記第１移動速度および前記第２移動速度が異なる場合に示す前記天気情報と、のうち少なくともいずれか一方を指示できる
ことが望ましい。
【００１６】
上記の時計において、前記天気情報を外部機器から通信により取得する通信部を備え、前記外部機器から指示された地点に対応する前記天気情報と、前記地点が属するタイムゾーン情報と、を前記通信部により取得して前記記憶部に記憶させることが望ましい。
【００１７】
上記の時計において、前記日情報は、日付、時間および曜日のうち少なくとも一つを含むことが望ましい。
【００１８】
上記の時計において、前記天気情報は、天候、降水確率、降水量、気温、湿度、紫外線指数、風速および風向のうち少なくともいずれか１つを含むことが望ましい。
【００１９】
上記の時計において、前記天気表示部は、複数の天気情報を表示することが望ましい。
【００２０】
本発明の時計の制御方法は、日情報、および前記日情報に対応する天気情報を取得するステップと、前記日情報を表示するステップと、前記天気情報を指針に指示させるステップと、を備えることを特徴とする。
【発明の効果】
【００２１】
本発明によれば、日情報表示部により日情報を表示しつつ、指針により日情報に対応する天気情報を表示できる。したがって、日情報と天気情報とを対応付けて天気情報を表示することができる。
【図面の簡単な説明】
【００２２】
【図１】各実施形態に係る時計の構成例を示すブロック図である。
【図２】第１実施形態に係る時計の平面図である。
【図３】第１実施形態に係る記憶部に記憶されている情報の一例を示す図である。
【図４】第１実施形態に係る時計の制御方法を示すフローチャートである。
【図５】第１実施形態に係る時計による天気情報の第１表示例を示す図である。
【図６】第１実施形態に係る時計による天気情報の第２表示例を示す図である。
【図７】第１実施形態に係る時計による天気情報の第３表示例を示す図である。
【図８】第１実施形態の第１変形例に係る記憶部に記憶されている情報の一例を示す図である。
【図９】第１実施形態の第２変形例に係る記憶部に記憶されている情報の一例を示す図である。
【図１０】第１実施形態の第２変形例に係る時計による天気情報の表示例を示す図である。
【図１１】第１実施形態の第２変形例に係る時計による天気情報の表示例を示す図である。
【図１２】第２実施形態に係る記憶部に記憶されている情報の一例を示す図である。
【図１３】第３実施形態に係る時計による天気情報の表示例を示す図である。
【図１４】第３実施形態の変形例に係る記憶部に記憶されている情報の一例を示す図である。
【図１５】第４実施形態に係る時計による天気情報の表示例を示す図である。
【図１６】第４実施形態の変形例に係る時計による天気情報の表示例を示す図である。
【図１７】第４実施形態の変形例に係る時計による天気情報の表示例を示す図である。
【図１８】第５実施形態に係る時計の平面図である。
【図１９】第５実施形態に係る記憶部に記憶されている情報の一例を示す図である。
【図２０】第６実施形態に係る時計の平面図である。
【発明を実施するための形態】
【００２３】
以下、本発明の実施形態を図面に基づいて説明する。なお、実施形態の時計は、針を有するアナログクォーツ式時計である。なお、本発明の開示範囲はこれに限定されない。
［第１実施形態］
最初に、第１実施形態に係る時計の構成について説明する。
図１は、各実施形態に係る時計の構成例を示すブロック図である。
図１に示すように、時計１は、ケース１０と、表示部２０と、電源部４０と、発振回路５０と、分周回路６０と、入力部７０と、主制御部８０（制御部）と、通信部９０と、記憶部１００と、駆動部１１０と、を備えている。時計１は、無線通信を介して端末９（外部機器）と通信を行い、情報の送受信を行う。
【００２４】
端末９は、通信機能を有する機器、例えばスマートフォンやタブレット端末等である。端末９は、例えば操作部、表示部、制御部、ＧＰＳ（Ｇｌｏｂａｌ  Ｐｏｓｉｔｉｏｎｉｎｇ  Ｓｙｓｔｅｍ；グローバル・ポジショニング・システム）、通信部、電池等を含んで構成されている。端末９は、ＧＰＳを用いて取得した時刻情報や位置情報、インターネットを介して取得した天気情報、動作指示等を、無線通信を介して時計１へ送信する。
【００２５】
＜ケース＞
図２は、第１実施形態に係る時計の平面図である。
図２に示すように、ケース１０は、胴１１と、裏蓋（不図示）と、ガラス１２と、ベゼル１３と、を備えている。胴１１は、円筒状に形成されている。胴１１には、ベゼル１３が嵌合されている。胴１１の一方の開口は、ベゼル１３を介してガラス１２により閉塞されている。胴１１の他方の開口は、裏蓋（不図示）により閉塞されている。なお、以下の説明では、ケース１０の裏蓋から見たガラス１２側を表側と称し、その反対側を裏側と称する。
【００２６】
＜表示部＞
表示部２０は、文字板２１と、ダイヤルリング２７と、複数の針３１〜３６と、日車３８（日情報表示部）と、を備えている。なお、表示部２０は、上述したベゼル１３を含んでいてもよい。複数の針３１〜３６は、時刻を表示可能な時針３１（時刻指示針）、分針３２（時刻指示針）および秒針３３（指針）と、時針３１、分針３２および秒針３３が表示する時刻とは異なる時刻を表示可能な小時針３４および小分針３５と、時計１が実行しているモード情報等を表示可能なモード針３６と、である。文字板２１は、後述する太陽電池４１により円形状に形成され、ケース１０の胴１１の内側に配置されている。文字板２１は、時針３１、分針３２および秒針３３に対応する主目盛２２と、小時針３４および小分針３５に対応する小目盛２３と、モード針３６に対応するモード目盛２４と、日車３８の日文字３９を表示する小窓２５と、を表側に備えている。
【００２７】
ダイヤルリング２７は、ケース１０の胴１１の内側において、ベゼル１３の内周に取り付けられている。ダイヤルリング２７は、文字板２１の外周に沿って配置されている。ダイヤルリング２７には、天気情報が表示される天気表示部２８が形成されている。本実施形態では、天気情報は、天候である。天気表示部２８は、各天候要素を示す複数のマーク２９Ａ〜２９Ｄを備えている。図示の例では、複数のマーク２９Ａ〜２９Ｄは、晴れを示す晴マーク２９Ａと、曇りを示す曇マーク２９Ｂと、雨を示す雨マーク２９Ｃと、雪を示す雪マーク２９Ｄと、である。複数のマーク２９Ａ〜２９Ｄは、この順にダイヤルリング２７の周方向に並んで配置されている。複数のマーク２９Ａ〜２９Ｄは、時針３１、分針３２および秒針３３のうち少なくともいずれか１つの針に指示されることにより、天候を表示する。これにより、天気表示部２８は、天気情報が複数の天候要素で構成される場合に対応している。
【００２８】
複数の針３１〜３６は、それぞれ文字板２１の表側に配置されている。
時針３１、分針３２および秒針３３は、文字板２１の中央を通る第１回転軸Ｏ回りに回転する。時針３１は、第１回転軸Ｏに直交する方向に沿って延びている。分針３２は、第１回転軸Ｏに直交する方向に沿って時針３１よりも長く延びている。分針３２の先端３２ａは、時針３１の先端３１ａよりも第１回転軸Ｏから離れ、時針３１の先端３１ａよりもダイヤルリング２７に近く位置している。秒針３３は、第１回転軸Ｏに直交する方向に沿って分針３２よりも長く延びている。秒針３３の先端３３ａは、分針３２の先端３２ａよりも第１回転軸Ｏから離れ、分針３２の先端３２ａよりもダイヤルリング２７に近く位置している。秒針３３は、複数の針３１〜３６のうち、先端が天気表示部２８に最も近接する。すなわち、秒針３３は、第１回転軸Ｏに直交する方向において天気表示部２８に先端３３ａが最も接近している。
【００２９】
時針３１、分針３２および秒針３３は、これらの先端３１ａ〜３３ａを文字板２１の主目盛２２に合せることで、時刻を指示可能である。これにより、時針３１、分針３２、秒針３３および主目盛２２は、時刻を表示する主時計部２を構成している。
また、秒針３３は、その先端３３ａをダイヤルリング２７に形成された天気表示部２８の複数のマーク２９Ａ〜２９Ｄのうちいずれかに合わせることで、天気情報を指示可能に形成されている。
【００３０】
小時針３４および小分針３５は、第２回転軸Ｐ回りに回転する。第２回転軸Ｐは、第１回転軸Ｏから見て９時方向の位置に設けられている。小時針３４は、第２回転軸Ｐに直交する方向に沿って延びている。小分針３５は、第２回転軸Ｐに直交する方向に沿って小時針３４よりも長く延びている。
【００３１】
小時針３４および小分針３５は、これらの先端を文字板２１の小目盛２３に合せることで、時刻を指示可能に形成されている。これにより、小時針３４、小分針３５および小目盛２３は、時刻を表示する小時計部３を構成している。
【００３２】
モード針３６は、第３回転軸Ｑ回りに回転する。第３回転軸Ｑは、第１回転軸Ｏから見て６時方向の位置に設けられている。モード針３６は、その先端を文字板２１のモード目盛２４に合せることで、例えば使用者が実行可能なモードや、時計１において実行されているモード等を指示する。
【００３３】
日車３８は、文字板２１の裏側に配置されている。日車３８は、第１回転軸Ｏ回りに回転する。日車３８の表側を向く面には、日文字３９が明示されている。日車３８は、日文字３９を文字板２１の小窓２５を通じて表側に露出させることで、日付を含む日情報を表示する。なお、日情報は、曜日および時間を含んでいてもよく、曜日を含む場合には、月曜日から日曜日までの曜日を示す曜文字が明示された曜車を用いる。
【００３４】
＜電源部＞
図１に示すように、電源部４０は、太陽電池４１と、充放電制御回路４２と、二次電池４３と、を備えている。
太陽電池４１は、例えばソーラーパネルであって、文字板２１を形成している。太陽電池４１は、受光面を表側に向けた状態で配置されている。太陽電池４１は、光エネルギーを電力に変換し、充放電制御回路４２を介して変換した電力を二次電池４３に供給する。
【００３５】
二次電池４３は、太陽電池４１から供給された電気エネルギーを蓄える蓄電池である。二次電池４３は、例えばリチウムイオンポリマー電池である。二次電池４３は、蓄えた電力を主制御部８０と通信部９０とに供給する。
充放電制御回路４２は、太陽電池４１によって発電された電力の二次電池４３への充電を制御する。充放電制御回路４２は、二次電池４３に蓄電されている電力の、主制御部８０および通信部９０への供給を制御する。
【００３６】
＜発振回路＞
発振回路５０は、水晶振動子と組み合わせることで発振器を実現する回路である。発振回路５０は、生成した所定の周波数の信号を分周回路６０に出力する。
【００３７】
＜分周回路＞
分周回路６０は、発振回路５０が出力した所定の周波数の信号を分周し、分周した信号を主制御部８０に出力する。
【００３８】
＜入力部＞
入力部７０は、例えばボタン７０Ａや竜頭７０Ｂ等である。入力部７０は、ケース１０の胴１１の側面に配置されている。入力部７０は、使用者により操作（例えば押圧操作）された場合に、この操作に応じた操作信号を主制御部８０に出力する。
【００３９】
＜主制御部＞
主制御部８０は、入力部７０が出力した操作結果に基づいて、時計１が備える各構成要素の制御を行う。主制御部８０は、電源制御部８１と、駆動制御部８２と、を備えている。
【００４０】
電源制御部８１は、二次電池４３から供給される電力を、所望の電圧値に降圧して、各回路に供給する。
駆動制御部８２は、例えばモータドライバＩＣ（集積回路）である。駆動制御部８２は、駆動部１１０を駆動する駆動信号を生成し、生成した駆動信号によって駆動部１１０を駆動する。
【００４１】
＜通信部＞
通信部９０は、例えばＷｉ−Ｆｉ（Ｗｉｒｅｌｅｓｓ  Ｆｉｄｅｌｉｔｙ）規格や、Ｂｌｕｅｔｏｏｔｈ（登録商標）  ＬＥ（Ｌｏｗ  Ｅｎｅｒｇｙ）規格の通信方式を用いて、端末９との間で天気情報を含む各種情報の送受信を行う。通信部９０は、端末９等の外部機器から受信した情報を主制御部８０に出力する。また、通信部９０は、主制御部８０が出力した情報を、端末９等の外部機器へ送信する。
【００４２】
＜記憶部＞
記憶部１００は、例えば、ＲＡＭ（Ｒａｎｄｏｍ  Ａｃｃｅｓｓ  Ｍｅｍｏｒｙ、ランダムアクセスメモリ）やＲＯＭ（Ｒｅａｄ  Ｏｎｌｙ  Ｍｅｍｏｒｙ、読み出し専用メモリ）等の不揮発性の記憶媒体である。記憶部１００は、主制御部８０が通信部９０を介して端末９から取得した情報等を記憶する。
【００４３】
図３は、第１実施形態に係る記憶部に記憶されている情報の一例を示す図である。
図３に示すように、本実施形態では、記憶部１００には、端末９から指示された所定地点におけるタイムゾーン情報と、日情報と、所定地点に対応するとともに日情報に対応する天気情報と、が対応付けられて記憶されている。図３に示す例では、記憶部１００には、タイムゾーン情報として「ＵＴＣ＋９」が記憶され、日情報として「１０日」が記憶され、天気情報として１０日の天気予報である「晴れ」が記憶されている。なお、記憶部１００には、サマータイムに関する情報を記憶されてもよい。
【００４４】
＜駆動部＞
図１に示すように、駆動部１１０は、複数のステッピングモータ１１１Ａ〜１１１Ｇと、複数の輪列１１２Ａ〜１１２Ｇと、を備えている。複数のステッピングモータ１１１Ａ〜１１１Ｇは、第１ステッピングモータ１１１Ａ、第２ステッピングモータ１１１Ｂ、第３ステッピングモータ１１１Ｃ、第４ステッピングモータ１１１Ｄ、第５ステッピングモータ１１１Ｅ、第６ステッピングモータ１１１Ｆおよび第７ステッピングモータ１１１Ｇである。複数の輪列１１２Ａ〜１１２Ｇは、第１輪列１１２Ａ、第２輪列１１２Ｂ、第３輪列１１２Ｃ、第４輪列１１２Ｄ、第５輪列１１２Ｅ、第６輪列１１２Ｆおよび第７輪列１１２Ｇであって、それぞれ少なくとも１つの歯車を含んで構成されている。複数のステッピングモータ１１１Ａ〜１１１Ｇ、および複数の輪列１１２Ａ〜１１２Ｇは、ケース１０の胴１１の内側に配置された図示しない地板等に取り付けられている。
【００４５】
各ステッピングモータ１１１Ａ〜１１１Ｇは、駆動制御部８２が出力した駆動信号によって動作する。第１ステッピングモータ１１１Ａは、第１輪列１１２Ａを介して時針３１を回転駆動する。第２ステッピングモータ１１１Ｂは、第２輪列１１２Ｂを介して分針３２を回転駆動する。第３ステッピングモータ１１１Ｃは、第３輪列１１２Ｃを介して秒針３３を回転駆動する。第４ステッピングモータ１１１Ｄは、第４輪列１１２Ｄを介して小時針３４を回転駆動する。第５ステッピングモータ１１１Ｅは、第５輪列１１２Ｅを介して小分針３５を回転駆動する。第６ステッピングモータ１１１Ｆは、第６輪列１１２Ｆを介してモード針３６を回転駆動する。第７ステッピングモータ１１１Ｇは、第７輪列１１２Ｇを介して日車３８を回転駆動する。
【００４６】
＜時計の動作＞
次に、第１実施形態に係る時計１の動作について説明する。
図４は、第１実施形態に係る時計の制御方法を示すフローチャートである。
図４に示すように、時計１の制御方法は、通信部９０を介して端末９から日情報、および日情報に対応する天気情報を取得して記憶部１００に記憶させるステップＳ１０と、日情報を表示するステップＳ２０と、天気情報を秒針３３に指示させるステップＳ３０と、を備えている。
【００４７】
主制御部８０は、入力部７０が操作された場合に、時計１が実行する動作モードを制御する。ここで、動作モードは、針により現在時刻を指示する時刻計時モードや、針により天気情報を指示する天気表示モード等である。時刻計時モードと天気表示モードとは、例えば入力部７０が操作されることで切り替わる。また、天気表示モードを実行中に入力部７０が所定時間操作されなかった場合に、時刻計時モードに切り替わってもよい。主制御部８０は、上述したステップＳ１０を、時刻計時モードまたは天気表示モードにおける所定のタイミング（例えば一定時間毎）や、時刻計時モードから天気表示モードへの切り替え時等に実行する。
【００４８】
主制御部８０は、時刻計時モードにおいて、例えば、時計１の現在位置が属するタイムゾーンの現在時刻を主時計部２により表示するとともに、予め設定された地点が属するタイムゾーンの現在時刻を小時計部３により表示するように、駆動部１１０を制御する。すなわち、時計１は、時刻計時モードにおいて、時針３１、分針３２および秒針３３により、時計１の現在位置における現在時刻を表示する。また、時計１は、時刻計時モードにおいて、小時針３４および小分針３５により、予め設定された地点の現在時刻を表示する。なお、時計１の現在位置は、使用者が設定してもよいし、端末９のＧＰＳにより取得してもよく、さらには時計１がＧＰＳ機能を有していてもよい。
【００４９】
主制御部８０は、時刻計時モードの実行中に入力部７０が操作された場合に、天気表示モードを実行する。主制御部８０は、天気表示モードにおいて、記憶部１００に記憶された情報に基づき、所定地点が属するタイムゾーンの現在時刻を時針３１および分針３２が所定時間指示するように駆動部１１０を制御する。また、主制御部８０は、記憶部１００に記憶された情報に基づき、日情報を日車３８により小窓２５を通じて所定時間表示するように駆動部１１０を制御する（ステップＳ２０）。さらに、主制御部８０は、記憶部１００に記憶された情報に基づき、所定地点に対応するとともに、日車３８により表示される日情報に対応する天気情報を、秒針３３が所定時間指示するように駆動部１１０を制御する（ステップＳ３０）。所定地点は、ＧＰＳ（全地球測位システム）等により取得された時計１の現在位置であってもよいし、使用者が端末９により指定した任意の位置であってもよい。なお、主制御部８０は、図４に示すように、ステップＳ２０の後にステップＳ３０を実行してもよいし、ステップＳ３０の後にステップＳ２０を実行してもよいし、さらにはステップＳ２０およびステップＳ３０を同時に実行してもよい。
【００５０】
以下、天気表示モードにおいて、天気情報として１０日の天気予報を表示する場合を例に挙げて説明する。なお、以下では、所定地点が属するタイムゾーンの現在時刻が９時３６分の場合を例に挙げて説明する。
（第１表示例）
図５は、第１実施形態に係る時計による天気情報の第１表示例を示す図である。
図５に示すように、所定地点における１０日の天気予報が晴れの場合、主制御部８０は、秒針３３が晴マーク２９Ａを指示する位置（以下、「晴指示位置」という。）へ移動して所定の第１時間（例えば数秒間）静止するように駆動部１１０を制御する。また、主制御部８０は、日車３８が小窓２５を通じて「１０」と明示された日文字３９を表示するように駆動部１１０を制御する。また、主制御部８０は、時針３１および分針３２が９時３６分を指示するように、駆動部１１０を制御する。
【００５１】
（第２表示例）
図６は、第１実施形態に係る時計による天気情報の第２表示例を示す図である。
図６に示すように、所定地点における１０日の天気予報が晴れ時々曇りの場合、主制御部８０は、秒針３３が晴指示位置へ移動して所定の第２時間（例えば数秒間）静止するように駆動部１１０を制御する。その後、主制御部８０は、秒針３３が曇マーク２９Ｂを指示する位置（以下、「曇指示位置」という。）へ所定の第１移動速度で移動して第２時間静止するように駆動部１１０を制御する。続いて、主制御部８０は、秒針３３が晴指示位置へ第１移動速度で移動するように駆動部１１０を制御する。また、主制御部８０は、日車３８が小窓２５を通じて「１０」と明示された日文字３９を表示するように駆動部１１０を制御する。また、主制御部８０は、時針３１および分針３２が９時３６分を指示するように、駆動部１１０を制御する。なお、主制御部８０は、秒針３３が上述した晴指示位置と曇指示位置との間を１往復だけするように駆動部１１０を制御してもよいし、複数回往復するように駆動部１１０を制御してもよい。
【００５２】
（第３表示例）
図７は、第１実施形態に係る時計による天気情報の第３表示例を示す図である。
図７に示すように、所定地点における１０日の天気予報が晴れのち曇りの場合、主制御部８０は、秒針３３が晴指示位置へ移動して所定の第３時間静止するように駆動部１１０を制御する。その後、主制御部８０は、秒針３３が曇指示位置へ所定の第２移動速度で移動して所定の第４時間静止するように駆動部１１０を制御する。なお、第３時間と第４時間とは同一であってもよいし、異なっていてもよい。続いて、主制御部８０は、秒針３３が晴指示位置へ第２移動速度よりも速い第３移動速度で移動するように駆動部１１０を制御する。また、主制御部８０は、日車３８が小窓２５を通じて「１０」と明示された日文字３９を表示するように駆動部１１０を制御する。また、主制御部８０は、時針３１および分針３２が９時３６分を指示するように、駆動部１１０を制御する。なお、主制御部８０は、秒針３３が上述した晴指示位置と曇指示位置との間を１往復だけするように駆動部１１０を制御してもよいし、複数回往復するように駆動部１１０を制御してもよい。
【００５３】
上述した各表示例のように、秒針３３は、晴指示位置から曇指示位置への移動速度、および曇指示位置から晴指示位置への移動速度、が同一の場合に示す天気情報（すなわち晴れのち曇り）と、異なる場合に示す天気情報（晴れ時々曇り）と、の両方を指示できる。
なお、上述した各表示例では、秒針３３が晴マーク２９Ａや曇マーク２９Ｂを指示する場合を説明したが、雨マーク２９Ｃや雪マーク２９Ｄを指示する場合も同様である。
【００５４】
このように、本実施形態の時計１は、日情報および日情報に対応する天気情報を記憶する記憶部１００と、日情報を表示可能な日車３８と、天気情報が表示される天気表示部２８と、天気情報を指示可能な秒針３３と、を備える構成とした。
この構成によれば、日車３８により日情報を表示しつつ、秒針３３により日情報に対応する天気情報を表示できる。したがって、日情報と天気情報とを対応付けて中長期的な天気情報を表示することができる。よって、使用者は、日情報に応じた天気情報を直観的に把握することができ、天気情報を利用する際の時計の利便性を確保することができる。
【００５５】
また、時計１は、秒針３３により天気情報を指示する。
また、秒針３３は、例えば時刻計時モード実行時等、天気情報を指示しない場合に現在時刻を指示する。
このため、時計１は、天気情報を指示するための針を別途備えることなく、天気情報を表示することができる。
【００５６】
また、秒針３３は、所定地点に対応する天気情報を指示し、時計１は、所定地点の現在時刻を指示する時針３１および分針３２を更に備える。このため、時計１は、所定地点に対応する天気情報と現在時刻とを対応付けて表示することができる。
【００５７】
また、秒針３３の先端３３ａは、複数の針３１〜３６の先端のうち天気表示部２８に最も近接するので、使用者に秒針３３が天気情報を指示していることを直感的に認識させることができる。したがって、天気情報をわかりやすく表示することができる。
【００５８】
また、秒針３３は、晴指示位置から曇指示位置への移動速度、および曇指示位置から晴指示位置への移動速度が同一の場合（第２表示例）に示す天気情報（晴れのち曇り）と、晴指示位置から曇指示位置への移動速度、および曇指示位置から晴指示位置への移動速度が異なる場合（第３表示例）に示す天気情報（晴れ時々曇り）と、の両方を指示できる。このため、晴れおよび曇りの２種類の天候要素により構成される天気情報を１つの針（秒針３３）により指示することができる。よって、秒針３３以外の針を、天気情報以外の情報を指示するために用いることができる。したがって、天気情報を含むより多くの情報を表示可能な時計１とすることができる。
【００５９】
また、主制御部８０は、端末９から指示された所定地点に対応する天気情報と、所定地点が属するタイムゾーン情報と、を通信部９０により取得して記憶部１００に記憶させる。このため、任意の地点における天気情報および時刻情報を時計１に表示させることができる。
【００６０】
そして、本実施形態の時計１の制御方法は、日情報、および日情報に対応する天気情報を取得するステップＳ１０と、日情報を表示するステップＳ２０と、天気情報を秒針３３に指示させるステップＳ３０と、を備えているので、日情報と天気情報とを対応付けて天気情報を表示させることができる。よって、使用者は、日情報に応じた天気情報を直観的に把握することができ、天気情報を利用する際の時計の利便性を確保することができる。
【００６１】
［第１実施形態の第１変形例］
上述した第１実施形態では、時計１は、１箇所の所定地点に対応する天気情報を表示可能とされているが、複数の地点のそれぞれに対応する天気情報を表示可能とされていてもよい。
【００６２】
図８は、第１実施形態の第１変形例に係る記憶部に記憶されている情報の一例を示す図である。
図８に示すように、記憶部１００は、複数の地点と、各地点が属するタイムゾーン情報と、各地点における日情報と、各地点に対応するとともに日情報に対応する天気情報と、が対応付けられて記憶される。
【００６３】
時計１は、天気表示モードにおいて入力部７０が操作される毎に、記憶部１００に記憶された情報に基づき、記憶部１００に記憶された複数の地点のそれぞれに対応する現在時刻と、日情報と、天気情報と、を地点毎に順に表示する。各地点に対応する現在時刻、日情報および天気情報の表示方法は、第１実施形態と同様である。なお、入力部７０が操作される毎に表示される地点の順は、例えば、ユーザーが予め端末９において指定する順序でもよいし、時計１の現在位置からの距離に応じた順序でもよい。
【００６４】
このように、本変形例によれば、複数の地点と、各地点に対応するとともに日情報に対応する天気情報と、が対応付けられて記憶部１００に記憶されるので、複数の地点における天気情報を日情報とともに表示できる。よって、使用者は、複数の地点における日情報に応じた天気情報を直観的に把握することができ、天気情報を利用する際の時計の利便性を確保することができる。
【００６５】
［第１実施形態の第２変形例］
上述した第１実施形態では、時計１は、特定の日情報に対応する天気情報を表示可能とされているが、複数の日情報のそれぞれに対応する天気情報を表示可能とされていてもよい。
【００６６】
図９は、第１実施形態の第２変形例に係る記憶部に記憶されている情報の一例を示す図である。
図９に示すように、記憶部１００は、所定地点が属するタイムゾーン情報と、複数の日情報と、所定地点に対応するとともに各日情報に対応する天気情報と、が対応付けられて記憶される。記憶部１００に記憶される複数の日情報は、第１日情報（図示の例では１０日）と、第２日情報（図示の例では１１日）と、第３日情報（図示の例では１２日）と、を含んでいる。第２日情報が含む日付は、第１日情報が含む日付よりも後の日付であって、例えば第１日情報が含む日付の１日後である。第３日情報が含む日付は、第２日情報が含む日付よりも後の日付であって、例えば第１日情報が含む日付の２日後である。
【００６７】
時計１は、天気表示モードにおいて入力部７０が操作される毎に、記憶部１００に記憶された情報に基づき、所定地点が属するタイムゾーンの現在時刻と、記憶部１００に記憶された複数の日情報のそれぞれと、各日情報に対応する天気情報と、を日情報毎に順に表示する。主制御部８０は、日車３８により表示される日情報の変更に伴い、日車３８により表示される日情報に対応する天気情報を秒針３３により指示するように、駆動部１１０を制御する。現在時刻、日情報および天気情報の表示方法は、第１実施形態と同様である。なお、入力部７０が操作される毎に表示される日情報の順は、例えば、現在の日付から近い順である。
【００６８】
図１０および図１１は、第１実施形態の第２変形例に係る時計による天気情報の表示例を示す図である。
図１０に示すように、主制御部８０は、時刻計時モードにおいて入力部７０が操作されることで、日車３８が複数の日情報のうち最も現在の日付に近い第１日情報を表示するように駆動部１１０を制御する。また、主制御部８０は、秒針３３が日車３８により表示された日情報に対応する天気情報を指示するように駆動部１１０を制御する。
【００６９】
図１１に示すように、主制御部８０は、図１０に示す状態から所定時間内に入力部７０が操作されることで、日車３８が複数の日情報のうち２番目に現在の日付に近い第２日情報を表示するように駆動部１１０を制御する。また、主制御部８０は、秒針３３が日車３８により表示された日情報に対応する天気情報を指示するように駆動部１１０を制御する。
所定時間内に入力部７０が再度操作された場合も同様である。
【００７０】
このように、本変形例では、複数の日情報と、所定地点に対応するとともに各日情報に対応する天気情報と、が対応付けられて記憶部１００に記憶される。そして、主制御部８０は、日車３８により表示される日情報の変化に伴い、日車３８により表示される日情報に対応する天気情報を秒針３３により指示するように駆動部１１０を制御する。このため、複数の日情報に対応する天気情報を日情報とともに表示できる。よって、使用者は、複数の日情報に応じたそれぞれの天気情報を直観的に把握することができ、天気情報を利用する際の時計の利便性を確保することができる。
【００７１】
［第２実施形態］
上述した第１実施形態では、時計１は、所定地点に対応する現在時刻および天気情報を表示可能とされているが、所定地点に対応する天気情報、および天気情報に関する時刻を表示可能とされていてもよい。
【００７２】
図１２は、第２実施形態に係る記憶部に記憶されている情報の一例を示す図である。
図１２に示すように、記憶部１００は、所定地点が属するタイムゾーン情報と、日情報と、所定地点に対応するとともに日情報に対応する天気情報と、天気情報に関する時刻情報と、が対応付けられて記憶される。天気情報に関する時刻情報は、天気情報に対応する時刻、および天気情報が更新された時刻のうち少なくともいずれか一方の時刻である。
【００７３】
主制御部８０は、天気表示モードにおいて、記憶部１００に記憶された情報に基づき、日情報を日車３８により小窓２５を通じて表示するように駆動部１１０を制御する。また、主制御部８０は、所定地点に対応するとともに、秒針３３が日車３８により表示される日情報に対応する天気情報を所定時間指示するように駆動部１１０を制御する。さらに、主制御部８０は、秒針３３により指示される天気情報に関する時刻を時針３１（情報時刻指示針）および分針３２（情報時刻指示針）が指示するように駆動部１１０を制御する。
【００７４】
このように、本実施形態によれば、天気情報に対応する時刻、および天気情報が更新された時刻のうち少なくともいずれか一方の時刻を指示可能な時針３１および分針３２を備える。このため、天気情報と、天気情報に対応する時刻や天気情報が更新された時刻と、を日情報とともに表示できる。よって、使用者は、日情報に応じた天気情報と、天気情報に対応する時刻や天気情報が更新された時刻と、を把握することができ、天気情報を利用する際の時計の利便性を確保することができる。
【００７５】
［第３実施形態］
上述した第１実施形態の第２変形例では、時計１は、秒針３３により複数の日情報のそれぞれに対応する天気情報を指示可能とされている。これに対して、第３実施形態では、時計１は、時針３１（指針）、分針３２（指針）および秒針３３（指針）により、複数の日情報のそれぞれに対応する天気情報を指示可能とされている。
【００７６】
記憶部１００には、第１実施形態の第２変形例と同様に、所定地点が属するタイムゾーン情報と、複数の日情報と、所定地点に対応するとともに各日情報に対応する天気情報と、が対応付けられて記憶される。記憶部１００に記憶される複数の日情報は、第１日情報と、第２日情報と、第３日情報と、を含んでいる。第２日情報が含む日付は、第１日情報が含む日付よりも後の日付であって、例えば第１日情報が含む日付の１日後である。第３日情報が含む日付は、第２日情報が含む日付よりも後の日付であって、例えば第１日情報が含む日付の２日後である。
【００７７】
図１３は、第３実施形態に係る時計による天気情報の表示例を示す図である。
図１３に示すように、主制御部８０は、天気表示モードにおいて、記憶部１００に記憶された情報に基づき、秒針３３が第１日情報に対応する天気情報を所定時間指示し、分針３２が第２日情報に対応する天気情報を所定時間指示し、時針３１が第３日情報に対応する天気情報を所定時間指示するように駆動部１１０を制御する。時針３１、分針３２および秒針３３は、先端の位置が天気表示部２８に近い順に、現在の日付に近い日情報に対応する天気情報を指示する。
【００７８】
なお、主制御部８０は、天気表示モードにおいて、所定地点が属するタイムゾーンの現在時刻や、時計１の現在位置が属するタイムゾーンの現在時刻を小時計部３が表示するように駆動部１１０を制御してもよい。
【００７９】
このように、本実施形態によれば、時計１は、秒針３３が第１日情報に対応する天気情報を指示し、分針３２が第２日情報に対応する天気情報を指示し、時針３１が第３日情報に対応する天気情報を指示する場合を表示できるように構成されている。このため、複数の日情報に対応するそれぞれの天気情報を一括して表示することが可能となり、天気の推移を使用者に容易に認識させることができる。よって、天気情報を利用する際の時計の利便性を確保することができる。
【００８０】
［第３実施形態の変形例］
上述した第３実施形態では、時計１は、時針３１、分針３２および秒針３３により、複数の日情報に対応する天気情報を指示可能とされているが、時針３１、分針３２および秒針３３により、複数の時刻に対応する天気情報を指示可能とされていてもよい。
【００８１】
図１４は、第３実施形態の変形例に係る記憶部に記憶されている情報の一例を示す図である。
図１４に示すように、記憶部１００には、所定地点が属するタイムゾーン情報と、日情報と、複数の時刻情報と、所定地点に対応するとともに日情報および各時刻情報に対応する天気情報と、が対応付けられて記憶される。記憶部１００に記憶される複数の時刻情報は、第１時刻（図示の例では９時）と、第２時刻（図示の例では１２時）と、第３時刻と（図示の例では１５時）、を含んでいる。第２時刻は、第１時刻よりも後の時刻であって、例えば第１時刻の３時間後である。第３時刻は、第２時刻よりも後の時刻であって、例えば第１時刻の６時間後である。
【００８２】
主制御部８０は、第３実施形態と同様に、天気表示モードにおいて、記憶部１００に記憶された情報に基づき、秒針３３が第１時刻に対応する天気情報を所定時間指示し、分針３２が第２時刻に対応する天気情報を所定時間指示し、時針３１が第３時刻に対応する天気情報を所定時間指示するように駆動部１１０を制御する。時針３１、分針３２および秒針３３は、先端の位置が天気表示部２８に近い順に、現在時刻に近い時刻情報に対応する天気情報を指示する。
【００８３】
このように、本変形例によれば、時計１は、秒針３３が第１時刻に対応する天気情報を指示し、分針３２が第２時刻に対応する天気情報を指示し、時針３１が第３時刻に対応する天気情報を指示する場合を表示できるように構成されている。このため、複数の時刻に対応する天気情報を一括して表示することが可能となり、天気の推移を使用者に容易に認識させることができる。よって、天気情報を利用する際の時計の利便性を確保することができる。
【００８４】
［第４実施形態］
上述した第１実施形態では、複数の天候要素を含む天気情報を針により指示する場合に、各天候要素を示すマーク２９Ａ〜２９Ｄを指示する位置間で秒針３３を移動させている。これに対して、第４実施形態では、一対の天候要素を含む天気情報を針により指示する場合に、各天候要素を示すマーク２９Ａ〜２９Ｄを秒針３３および分針３２により各別に指示する。
【００８５】
主制御部８０は、天気情報が複数の天候要素により構成される場合、天気表示モードにおいて、記憶部１００に記憶された情報に基づき、秒針３３および分針３２が各天候要素を各別に指示するように駆動部１１０を制御する。具体的に、主制御部８０は、天気表示モードにおいて、秒針３３が天気情報に含まれる第１の天候要素を所定時間指示し、分針３２が天気情報に含まれる第２の天候要素を所定時間指示するように駆動部１１０を制御する。
【００８６】
図１５は、第４実施形態に係る時計による天気情報の表示例を示す図である。
図１５に示すように、所定地点における１０日の天気予報が晴れのち曇りの場合、主制御部８０は、秒針３３が晴マーク２９Ａを指示し、分針３２が曇マーク２９Ｂを指示するように、駆動部１１０を制御する。
【００８７】
このように、本実施形態によれば、天気情報が複数の天候要素で構成される場合、秒針３３および分針３２は、複数の天候要素を各別に指示するので、１つの針を移動させながら複数の天候要素を１つの針により順に指示する場合と比較して、使用者に対してより迅速に天気情報を認識させることができる。よって、天気情報を利用する際の時計の利便性を確保することができる。
【００８８】
［第４実施形態の変形例］
上述した第４実施形態では、一対の天候要素を含む天気情報を針により指示する場合に、一方の天候要素を秒針３３が指示し、他方の天候要素を分針３２が指示している。これに対して第４実施形態の変形例では、一対の天候要素のうち一方の天候要素のみを秒針３３および分針３２が指示する状態と、一対の天候要素を秒針３３および分針３２が各別に指示する状態と、の間を移行する。
【００８９】
主制御部８０は、天気情報が複数の天候要素により構成される場合、天気表示モードにおいて、記憶部１００に記憶された情報に基づき、秒針３３および分針３４が天気情報に含まれる第１の天候要素を所定の第５時間指示した後、分針３４を天気情報に含まれる第２の天候要素に対応する位置へ所定速度で移動させ、分針３４が第２の天候要素を所定の第６時間指示するように、駆動部１１０を制御する。なお、分針３４が第１の天候要素を指示する位置から第２の天候要素を指示する位置へ移動する際の所定速度は、天気情報に応じて異なる速度に設定してもよい。
【００９０】
図１６および図１７は、第４実施形態の変形例に係る時計による天気情報の表示例を示す図である。
所定地点における１０日の天気予報が晴れのち曇りの場合、主制御部８０は、図１６に示すように、秒針３３および分針３２が晴指示位置へ移動して所定の第５時間静止するように駆動部１１０を制御する。続いて、主制御部８０は、図１７に示すように、分針３２が曇指示位置へ所定速度で移動して所定の第６時間静止するように駆動部１１０を制御する。なお、主制御部８０は、分針３２が晴指示位置と曇指示位置との間を往復するように駆動部１１０を制御してもよいし、晴指示位置から曇指示位置への一方向の移動のみを行うように駆動部１１０を制御してもよい。
【００９１】
このように、本変形例によれば、一対の天候要素のうち一方の天候要素のみを秒針３３および分針３２が指示する状態と、一対の天候要素を秒針３３および分針３２が各別に指示する状態と、の間を移行するので、一対の天候要素を秒針３３および分針３２が各別に指示するだけの場合と比較して、一対の天候要素により構成される天気情報を詳細に指示することができる。
【００９２】
［第５実施形態］
上述した第１実施形態では、時計１が表示する天気情報は、天候である。これに対して、第５実施形態では、時計１が表示する天気情報は、降水確率である。
【００９３】
図１８は、第５実施形態に係る時計の平面図である。なお、図１８では、時計１は、天気表示モードを実行して天気情報を表示している。
図１８に示すように、ダイヤルリング２７に形成された天気表示部２８は、確率を示す目盛２９を備えている。目盛２９は、ダイヤルリング２７の周方向に沿って配置されている。目盛２９は、時針３１、分針３２および秒針３３のうち少なくともいずれか１つの針に指示されることにより、降水確率を表示する。
【００９４】
図１９は、第５実施形態に係る記憶部に記憶されている情報の一例を示す図である。
図１９に示すように、記憶部１００には、第３実施形態の変形例と同様に、所定地点が属するタイムゾーン情報と、日情報と、複数の時刻情報と、所定地点に対応するとともに日情報および各時刻情報に対応する天気情報と、が対応付けられて記憶される。記憶部１００に記憶される複数の時刻情報は、第１時刻（図示の例では９時）と、第２時刻（図示の例では１２時）と、第３時刻と（図示の例では１５時）、を含んでいる。第２時刻は、第１時刻よりも後の時刻であって、例えば第１時刻の３時間後である。第３時刻は、第２時刻よりも後の時刻であって、例えば第１時刻の６時間後である。記憶部１００に記憶される天気情報は、降水確率である。
【００９５】
図１８に示すように、主制御部８０は、天気表示モードにおいて、記憶部１００に記憶された情報に基づき、秒針３３が第１時刻に対応する天気情報を所定時間指示し、分針３２が第２時刻に対応する天気情報を所定時間指示し、時針３１が第３時刻に対応する天気情報を所定時間指示するように駆動部１１０を制御する。時針３１、分針３２および秒針３３は、先端の位置が天気表示部２８に近い順に、現在時刻に近い時刻情報に対応する天気情報を指示する。
【００９６】
このように、本実施形態によれば、天気表示部２８により表示される天気情報が降水確率であるので、時計１は、降水確率を日情報とともに表示できる。よって、使用者は、日情報に応じた降水確率の情報を直観的に把握することができ、天気情報を利用する際の時計の利便性を確保することができる。
【００９７】
［第６実施形態］
上述した各実施形態では、天気表示部２８は、天候および降水確率のいずれか一方の天気情報が表示されている。これに対して、第６実施形態では、天気表示部２８は、複数の天気情報が表示されている。
【００９８】
図２０は、第６実施形態に係る時計の平面図である。
図２０に示すように、ダイヤルリング２７に形成された天気表示部２８は、確率を示す目盛２９と、各天候要素を示す複数のマーク２９Ａ〜２９Ｄと、を備えている。目盛２９は、時針３１、分針３２および秒針３３のうち少なくともいずれか１つの針に指示されることにより、降水確率を表示する。複数のマーク２９Ａ〜２９Ｄは、時針３１、分針３２および秒針３３のうち少なくともいずれか１つの針に指示されることにより、天候を表示する。これにより、時計１は、天候および降水確率を表示することができる。
【００９９】
主制御部８０は、天気表示モードにおいて入力部７０が操作される毎に、複数の天気情報のうちいずれかを、例えば秒針３３が順に指示するように駆動部１１０を制御する。
【０１００】
このように、本実施形態によれば、天気表示部は複数の天気情報（本実施形態では天候および降水確率）を表示するように構成されているので、時計１は、複数の天気情報を日情報とともに表示できる。よって、使用者は、日情報に応じた複数の天気情報を直観的に把握することができ、天気情報を利用する際の時計の利便性を確保することができる。
【０１０１】
なお、本発明は、図面を参照して説明した上述の実施形態に限定されるものではなく、その技術的範囲において様々な変形例が考えられる。
例えば、上記実施形態においては、天気情報は、天候および降水確率のうちいずれか一方を含んでいるが、これに限定されず、天気情報は、天候、降水確率、降水量、気温、湿度、紫外線指数、風速および風向のうち少なくとも１つを含んでいてもよい。
【０１０２】
また、上記実施形態では、日付を含む日情報を日車３８により表示しているが、これに限定されない。時計は、例えば文字板２１における小窓２５が形成されている部分に、日付を含む日情報を表示可能な液晶表示装置（ＬＣＤ）を備える構成であってもよい。
【０１０３】
また、上記実施形態では、天気表示部２８は、ダイヤルリング２７に形成されているが、これに限定されない。天気表示部は、例えばベゼル１３や文字板２１に形成されていてもよい。なお、天気表示部が文字板２１に形成され、かつ天気情報を１つの針で指示する場合には、複数の針３１〜３６のうち、先端が天気表示部に最も近接する針により天気情報を指示することが望ましい。
【０１０４】
また、上記実施形態では、複数の針３１〜３６のうち、現在時刻を指示可能な秒針３３、分針３２および時針３１により天気情報を指示するが、これに限定されない。時計は、天気情報を指示するために設けられた針を、秒針３３、分針３２および時針３１以外に備えていてもよい。
【０１０５】
また、上記実施形態では、天気情報を指示する指針を、物質的、物理的、機械的に非一時的に存在する、いわゆるアナログ針に基づき説明したが、これに限定されない。液晶表示等によりドット表示、インジケータ表示、ゲージレベル表示、動的なアニメーション表示等の形態により表現され一時的に存在する、いわゆるデジタル表示として構成されてもよい。
【０１０６】
その他、本発明の趣旨を逸脱しない範囲で、上記した実施の形態における構成要素を周知の構成要素に置き換えることは適宜可能であり、また、上述した各実施形態および各変形例を適宜組み合わせてもよい。
【符号の説明】
【０１０７】
１…時計  ９…端末（外部機器）  ２８…天気表示部  ３１…時針（指針、時刻指示針、情報時刻指示針、針）  ３２…分針（指針、時刻指示針、情報時刻指示針、針）  ３３…秒針（指針、針）  ３４…小時針（針）  ３５…小分針（針）  ３６…モード針（針）  ３８…日車（日情報表示部）  ８０…主制御部（制御部）  ９０…通信部  １００…記憶部
【図１】
2018112503.tif 000003
【図２】
2018112503.tif 000004
【図３】
2018112503.tif 000005
【図４】
2018112503.tif 000006
【図５】
2018112503.tif 000007
【図６】
2018112503.tif 000008
【図７】
2018112503.tif 000009
【図８】
2018112503.tif 000010
【図９】
2018112503.tif 000011
【図１０】
2018112503.tif 000012
【図１１】
2018112503.tif 000013
【図１２】
2018112503.tif 000014
【図１３】
2018112503.tif 000015
【図１４】
2018112503.tif 000016
【図１５】
2018112503.tif 000017
【図１６】
2018112503.tif 000018
【図１７】
2018112503.tif 000019
【図１８】
2018112503.tif 000020
【図１９】
2018112503.tif 000021
【図２０】
2018112503.tif 000022